(57)【要約】【課題】人体の影響を抑制し、複数のアンテナ素子を備えて複数の周波数帯の電波を利用して通信を行うことを、装置の製造コストの大きな上昇、及び大型化を回避して実現する。【解決手段】センサ部１３０から、携帯端末装置１００に人体が触れているかどうか示す情報信号を取得し、情報信号に基づいて、スイッチ１０５，１０６，１２１，１２２の接続の制御を行う。スイッチ１０５，１０６，１２１，１２２の接続の制御により、アンテナ素子１０１，１０２，１０３、スイッチ１０５及びスイッチ１０６からなるアンテナとアンテナ素子１０４からなるアンテナの２本のアンテナで送受信を行うか、アンテナ素子１０１，１０２，１０４、スイッチ１０５及びスイッチ１０６からなるアンテナとアンテナ素子１０３からなるアンテナの２本のアンテナで送受信を行うかが設定される。【選択図】図１
2013055624.tif 000002
【特許請求の範囲】
【請求項１】
少なくとも二つの周波数帯域の無線信号を送受信することにより通信を行う携帯端末装置であって、
一つの給電点をそれぞれに備えた少なくとも二つの第１のアンテナ素子と、
第２のアンテナ素子と、
前記第２のアンテナ素子の接続先を、前記少なくとも二つの第１のアンテナ素子の中から一つだけ選択して接続する少なくとも一つの素子スイッチと、
少なくとも二つの周波数帯域の無線信号を、入力或いは出力する高周波回路部と、
前記高周波回路部中の前記少なくとも二つの周波数帯域の無線信号をそれぞれ処理する少なくとも二つの回路と前記少なくとも二つの第１のアンテナ素子がそれぞれに備えている一つの給電点の中のいずれか一つと、を一対一に接続するための少なくとも二つの給電点スイッチと、
全ての前記少なくとも一つの素子スイッチ及び前記少なくとも二つの給電点スイッチの接続を制御することが可能な制御信号を出力する制御部と、
を備え、
前記制御部は、当該携帯端末装置の状態を示す情報信号に基づいて全ての前記少なくとも一つの素子スイッチ及び前記少なくとも二つの給電点スイッチの接続を制御することを特徴とする携帯端末装置。
【請求項２】
当該携帯端末装置の傾きを検出し、該検出結果を前記情報信号として前記制御部に与えるセンサを備えることを特徴とする請求項１に記載の携帯端末装置。
【請求項３】
当該携帯端末装置の温度を検出し、該検出結果を前記情報信号として前記制御部に与えるセンサを備えることを特徴とする請求項１に記載の携帯端末装置。
【請求項４】
当該携帯端末装置への人の接触状態を検出し、該検出結果を前記情報信号として前記制御部に与えるセンサを備えることを特徴とする請求項１に記載の携帯端末装置。
【請求項５】
前記高周波回路部に入力された前記少なくとも二つの周波数帯域の無線信号の全て又は１部の復調信号の信号品質を検知する第１の検知手段を備え、
前記第１の検知手段は、検知した前記無線信号の全て又は１部の復調信号の信号品質を前記情報信号として前記制御部に出力することを特徴とする請求項１に記載の携帯端末装置。
【請求項６】
前記高周波回路部に入力された前記少なくとも二つの周波数帯域の無線信号の全て又は一部の信号レベルを検知する第２の検知手段を備え、
前記第２の検知手段は、検知した前記無線信号の全て又は一部の信号レベルをを前記情報信号として前記制御部に出力することを特徴とする請求項１に記載の携帯端末装置。
【請求項７】
一つの給電点をそれぞれに備えた少なくとも二つの第１のアンテナ素子と、
第２のアンテナ素子と、
前記第２のアンテナ素子の接続先を、前記少なくとも二つの第１のアンテナ素子の中から一つだけ選択して接続する少なくとも一つの素子スイッチと、
少なくとも二つの周波数帯域の無線信号を、入力或いは出力する高周波回路部と、
前記高周波回路部中の前記少なくとも二つの周波数帯域の無線信号をそれぞれ処理する少なくとも二つの回路と前記少なくとも二つの第１のアンテナ素子がそれぞれに備えている一つの給電点の中のいずれか一つと、を一対一に接続するための少なくとも二つの給電点スイッチと、
を備え、少なくとも二つの周波数帯域の無線信号を送受信することにより通信を行う携帯端末装置の制御方法であって、
当該携帯端末装置の状態を示す情報信号を入力する情報信号入力処理と、
前記情報信号に基づいて全ての前記少なくとも一つの素子スイッチ及び前記少なくとも二つの給電点スイッチの接続を制御するスイッチ制御処理と、
を行うことを特徴とする携帯端末装置の制御方法。
【請求項８】
少なくとも二つの周波数帯域の無線信号を送受信することにより通信を行う携帯端末装置を制御するコンピュータに、
前記携帯端末装置の状態を示す情報信号を受信する受信処理と、
前記情報信号に基づいて、第２のアンテナ素子を、少なくとも二つの第１のアンテナ素子の中から一つだけ選択して接続する素子スイッチ接続処理と、
前記情報信号に基づいて、少なくとも二つの周波数帯域の無線信号を入力或いは出力する高周波回路部中の前記少なくとも二つの周波数帯域の無線信号をそれぞれ処理する少なくとも二つの回路と前記少なくとも二つの第１のアンテナ素子がそれぞれに備えている一つの給電点の中のいずれか一つと、を一対一に接続する給電点スイッチ接続処理と、
を実行させることを特徴とするプログラム。
【発明の詳細な説明】
【技術分野】
【０００１】
本発明は、携帯端末装置、携帯端末装置の制御方法及びプログラムに関する。
【背景技術】
【０００２】
近年、携帯端末装置においては、複数の周波数帯の電波を利用して通信が行われている。例えば、一台の携帯端末装置で８００ＭＨｚ帯と２ＧＨｚ帯の両方の周波数帯を利用した通信が行われている。このような携帯端末装置では、複数の周波数帯に対応するために、複数のアンテナ素子を備えている。
【０００３】
また、第４世代の携帯電話機や、デジタルテレビジョン放送信号を受信することができる携帯端末装置のように広帯域の無線信号を送受信する携帯端末装置においては、より高い信号品質が求められるため、携帯端末装置が備える複数のアンテナ素子の放射効率をすべて高くする必要がある。
【０００４】
しかしながら、携帯端末装置は人間によって保持されて使用されるため、当該携帯端末装置と人体頭部との接触、胴体との距離及び手の位置などによって、アンテナ素子の放射効率が大きく低下することが知られている。
【０００５】
そこで、特許文献１に開示されている移動無線端末装置は、インピーダンス整合回路に加えて、少なくとも一つのインピーダンス整合補正回路と人体接触認識部とを備えている。そして、人体接触認識部から出力される人体認識信号によって当該移動無線端末装置に人体が接触しているか否かを認識し、人体が接触している場合は、当該移動無線端末装置の受信入力レベルに応じて、少なくとも一つのインピーダンス整合補正回路とインピーダンス整合回路のいずれか一つに受信信号を送るようにしている。
【０００６】
また、特許文献２に開示されている携帯端末装置は、携帯端末装置内に少なくとも３個以上のアンテナ素子を備え、携帯端末装置の傾き或いは受信感度に応じて通信に使用するアンテナ素子として、３個以上のアンテナ素子の中から１つを選択するようにしている。
【０００７】
また、特許文献３に開示されている「携帯無線機」は、携帯無線機内に３個のアンテナ素子を備え、携帯無線機の傾きに応じて通信に使用するアンテナとして、３個のアンテナ素子の中から２つを選択するようにしている。
【先行技術文献】
【特許文献】
【０００８】
【特許文献１】特開平１１−１３６１５７号公報
【特許文献２】特開２００８−１８７４８５号公報
【特許文献３】特開２００５−３４７８５５号公報
【発明の概要】
【発明が解決しようとする課題】
【０００９】
しかし、特許文献１に示された「移動無線端末装置」では、複数の周波数帯域での通信を行うために複数のアンテナ素子を備えていた場合、アンテナ素子一つにつき少なくとも一つのインピーダンス整合補正回路が必要となる。そのため、装置の構成が複雑になると共に、装置の製造コストが上昇するといった問題が生じる。
【００１０】
また、特許文献２に示す「携帯端末装置」では、少なくとも３個のアンテナを備えている。そのため、当該無線端末装置により、複数の周波数帯の電波を利用して通信を行う場合など、２種類以上のアンテナを必要とした場合には、種類毎に少なくとも３個、すなわち少なくとも６個のアンテナを備える必要がある。さらに、ある瞬間に通信に用いられるアンテナは、その少なくとも６個のアンテナの中の２つのみである。このような構成では、装置の製造コストが大きく上昇し、さらには装置が大型化する。
【００１１】
また、特許文献３に示す「携帯無線機」では、当該携帯無線機は３個のアンテナ素子を備えている。そのため、当該無線端末装置が複数の周波数帯の電波を利用して通信を行う場合などに、例えば２種類のアンテナを必要とした場合は６個のアンテナを備える必要があり、さらにある瞬間に通信に用いられるアンテナは、前記６個のアンテナの中の４つのみである。このような構成では、装置の製造コストが大きく上昇し、さらには装置が大型化する。
【００１２】
本発明の目的は、以上の課題を解決し、当該携帯端末装置を保持する人体の影響を抑制し、且つ、複数のアンテナ素子を備えて複数の周波数帯の電波を利用して通信を行う携帯端末装置を、装置の製造コストの大きな上昇、及び、大型化を回避して、提供することにある。
【課題を解決するための手段】
【００１３】
上記目的を達成するために、本発明の第１の観点に係る携帯端末装置は、
少なくとも二つの周波数帯域の無線信号を送受信することにより通信を行う携帯端末装置であって、
一つの給電点をそれぞれに備えた少なくとも二つの第１のアンテナ素子と、
第２のアンテナ素子と、
前記第２のアンテナ素子の接続先を、前記少なくとも二つの第１のアンテナ素子の中から一つだけ選択して接続する少なくとも一つの素子スイッチと、
少なくとも二つの周波数帯域の無線信号を、入力或いは出力する高周波回路部と、
前記高周波回路部中の前記少なくとも二つの周波数帯域の無線信号をそれぞれ処理する少なくとも二つの回路と前記少なくとも二つの第１のアンテナ素子がそれぞれに備えている一つの給電点の中のいずれか一つと、を一対一に接続するための少なくとも二つの給電点スイッチと、
全ての前記少なくとも１つの素子スイッチ及び前記少なくとも二つの給電点スイッチの接続を制御することが可能な制御信号を出力する制御部と、
を備え、
前記制御部は、当該携帯端末装置の状態を示す情報信号に基づいて全ての前記少なくとも１つの素子スイッチ及び前記少なくとも二つの給電点スイッチの接続を制御することを特徴とする。
【００１４】
上記目的を達成するために、本発明の第２の観点に係る携帯端末装置の制御方法は、
一つの給電点をそれぞれに備えた少なくとも二つの第１のアンテナ素子と、
第２のアンテナ素子と、
前記第２のアンテナ素子の接続先を、前記少なくとも二つの第１のアンテナ素子の中から一つだけ選択して接続する少なくとも一つの素子スイッチと、
少なくとも二つの周波数帯域の無線信号を、入力或いは出力する高周波回路部と、
前記高周波回路部中の前記少なくとも二つの周波数帯域の無線信号をそれぞれ処理する少なくとも二つの回路と前記少なくとも二つの第１のアンテナ素子がそれぞれに備えている一つの給電点の中のいずれか一つと、を一対一に接続するための少なくとも二つの給電点スイッチと、
を備え、少なくとも二つの周波数帯域の無線信号を送受信することにより通信を行う携帯端末装置の制御方法であって、
当該携帯端末装置の状態を示す情報信号を入力する情報信号入力処理と、
前記情報信号に基づいて全ての前記少なくとも１つの素子スイッチ及び前記少なくとも二つの給電点スイッチの接続を制御するスイッチ制御処理と、
を行うことを特徴とする。
【００１５】
上記目的を達成するために、本発明の第３の観点に係るプログラムは、
少なくとも二つの周波数帯域の無線信号を送受信することにより通信を行う携帯端末装置を制御するコンピュータに、
前記携帯端末装置の状態を示す情報信号を受信する受信処理と、
前記情報信号に基づいて、第２のアンテナ素子を、少なくとも二つの第１のアンテナ素子の中から一つだけ選択して接続する素子スイッチ接続処理と、
前記情報信号に基づいて、少なくとも二つの周波数帯域の無線信号を入力或いは出力する高周波回路部中の前記少なくとも二つの周波数帯域の無線信号をそれぞれ処理する少なくとも二つの回路と前記少なくとも二つの第１のアンテナ素子がそれぞれに備えている一つの給電点の中のいずれか一つと、を一対一に接続する給電点スイッチ接続処理と、
を実行させることを特徴とする。
【発明の効果】
【００１６】
本発明によれば、携帯端末装置を保持する人体の影響を抑制し、且つ、複数のアンテナ素子を備えて複数の周波数帯の電波を利用して通信を行うことを、装置の製造コストの大きな上昇、及び大型化を回避して実現できる。
【図面の簡単な説明】
【００１７】
【図１】本発明の第１の実施形態に係る携帯端末装置の構成を示すブロック図である。
【図２】一般的な折り返し形状を有するダイポールアンテナの模式図である。
【図３】携帯端末装置の使用状況を例示した図である。
【図４】本発明の第２の実施形態に係る携帯端末装置の構成を示すブロック図である。
【図５】本発明の第３の実施形態に係る携帯端末装置の構成を示すブロック図である。
【発明を実施するための形態】
【００１８】
以下、図面に基づき、本発明の実施形態について詳細に説明する。
［第１の実施形態］
図１は、本発明の第１の実施形態に係る携帯端末装置１００の構成を示すブロック図である。
【００１９】
この携帯端末装置１００は、４個のアンテナ素子１０１，１０２，１０３，１０４を備えている。アンテナ素子１０１の両端には、スイッチ１０５，１０６が備えられている。アンテナ素子１０２の一端にはスイッチ１０５の接点ａが備えられている。アンテナ素子１０２の他端にはスイッチ１０６の接点ａが備えられている。
【００２０】
アンテナ素子１０３の一端には、給電点Ｑ−１が備えられている。アンテナ素子１０３の他端には、スイッチ１０５の接点ｂが備えられている。
アンテナ素子１０４の一端には、給電点Ｑ−２が備えられている。アンテナ素子１０４の他端には、スイッチ１０６の接点ｂが備えられている。
【００２１】
スイッチ１０５は、アンテナ素子１０１と接続するアンテナ素子を、アンテナ素子１０２とアンテナ素子１０３のいずれかから選択する。また、スイッチ１０６は、アンテナ素子１０１と接続するアンテナ素子を、アンテナ素子１０２とアンテナ素子１０４のいずれかから選択する。
【００２２】
この携帯端末装置１００は、更に、無線通信回路１２０、センサ部１３０と、を備えている。
無線通信回路１２０は、スイッチ１２１と、スイッチ１２２と、ｈｉｇｈｂａｎｄ整合回路１２３と、ｌｏｗｂａｎｄ整合回路１２４と、制御部１２５と、高周波回路部１２６と、変復調部１２７と、入出力端子１２８と、を備えている。
【００２３】
給電点Ｑ−１は、スイッチ１２１の接点ｂ及びスイッチ１２２の接点ａに接続されている。
給電点Ｑ−２は、スイッチ１２１の接点ａ及びスイッチ１２２の接点ｂに接続されている。
【００２４】
スイッチ１２１は、当該スイッチ１２１の接点ａに接続した場合にはｈｉｇｈｂａｎｄ整合回路１２３を給電点Ｑ−２に接続し、当該スイッチ１２１の接点ｂに接続した場合にはｈｉｇｈｂａｎｄ整合回路１２３を給電点Ｑ−１に接続する。
【００２５】
スイッチ１２２は、当該スイッチ１２２の接点ａに接続された場合にはｌｏｗｂａｎｄ整合回路１２４を給電点Ｑ−１に接続し、当該スイッチ１２２の接点ｂに接続された場合にはｌｏｗｂａｎｄ整合回路１２４を給電点Ｑ−２に接続する。
【００２６】
ここで、スイッチ１２１がスイッチ１２１の接点ａに接続され、スイッチ１０６がスイッチ１０６の接点ａに接続された場合、ｈｉｇｈｂａｎｄ整合回路１２３は、アンテナ素子１０４によって構成されるアンテナのインピーダンスと高周波回路部１２６のインピーダンス（５０Ωである）とを整合させることができる。
【００２７】
また、スイッチ１２１がスイッチ１２１の接点ｂに接続され、スイッチ１０５がスイッチ１０５の接点ａに接続された場合、ｈｉｇｈｂａｎｄ整合回路１２３は、アンテナ素子１０３によって構成されるアンテナのインピーダンスと高周波回路部１２６のインピーダンス（５０Ωである）とを整合させることができる。
【００２８】
また、スイッチ１２２がスイッチ１２２の接点ａに接続され、スイッチ１０５がスイッチ１０５の接点ｂに接続され、スイッチ１０６がスイッチ１０６の接点ａに接続された場合、ｌｏｗｂａｎｄ整合回路１２４は、アンテナ素子１０３、アンテナ素子１０１、アンテナ素子１０２、スイッチ１０５及びスイッチ１０６によって構成されるアンテナのインピーダンスと、高周波回路部１２６のインピーダンス（５０Ωである）とを整合させることができる。
【００２９】
また、スイッチ１２２がスイッチ１２２の接点ｂに接続され、スイッチ１０６がスイッチ１０６の接点ｂに接続され、スイッチ１０５がスイッチ１０５の接点ａに接続された場合、ｌｏｗｂａｎｄ整合回路１２４は、アンテナ素子１０４、アンテナ素子１０１、アンテナ素子１０２、スイッチ１０５及びスイッチ１０６によって構成されるアンテナのインピーダンスと、高周波回路部１２６のインピーダンス（５０Ωである）とを整合させることができる。
【００３０】
高周波回路部１２６は、ｈｉｇｈｂａｎｄ整合回路１２３、ｌｏｗｂａｎｄ整合回路１２４、及び変復調部１２７にそれぞれ接続されている。高周波回路部１２６は、ｈｉｇｈｂａｎｄ整合回路１２３との間では、高い周波数帯域であるｈｉｇｈｂａｎｄ（例えば、２ＧＨz帯）の無線信号であるｈｉｇｈｂａｎｄ無線信号を入出力することが可能である。
【００３１】
高周波回路部１２６は、ｌｏｗｂａｎｄ整合回路１２４との間では、低い周波数帯であるｌｏｗｂａｎｄ（例えば８００ＭＨｚ帯）の無線信号であるｌｏｗｂａｎｄ無線信号を入出力することが可能でる。
【００３２】
高周波回路部１２６は、変復調部１２７との間で高い周波数のｈｉｇｈｂａｎｄ変調信号及び低い周波数のｌｏｗｂａｎｄ変調信号を入出力することが可能である。
【００３３】
高周波回路部１２６は、ｈｉｇｈｂａｎｄ無線信号と高い周波数のｈｉｇｈｂａｎｄ変調信号との相互変換を行うために必要な図示しない高周波フィルタ、高周波増幅器及び高周波混合器等で構成された高域処理回路１２６Ａと、ｌｏｗｂａｎｄ無線信号と低い周波数のｌｏｗｂａｎｄ変調信号との相互変換を行うために必要な図示しない高周波フィルタ、高周波増幅器及び高周波混合器等で構成された低域処理回路１２６Ｂと、を含む。
【００３４】
変復調部１２７は、入出力端子１２８を介してベースバンド信号を入出力する回路であり、ベースバンド信号と高い周波数のｈｉｇｈｂａｎｄ変調信号あるいは低い周波数のｌｏｗｂａｎｄ変調信号との相互変換を行うための図示しない変調器及び復調器を備えている。
【００３５】
制御部１２５は、センサ部１３０からセンサ情報を入力し、センサ情報に基づいて、スイッチ１０５、スイッチ１０６、スイッチ１２１及びスイッチ１２２に制御信号を出力し、各スイッチ１０５、スイッチ１０６、スイッチ１２１及びスイッチ１２２の接続する接点を制御する。センサ部１３０は、例えば位置姿勢センサで構成され、携帯端末装置１００の姿勢（傾き）を検出し、検出結果をセンサ情報として制御部１２５に出力する。
【００３６】
ここで、制御部１２５は、スイッチ１０５をスイッチ１０５の接点ａに接続する場合には、スイッチ１０６をスイッチ１０６の接点ｂに接続するように制御する。また、制御部１２５は、スイッチ１０５をスイッチ１０５の接点ｂに接続する場合には、スイッチ１０６をスイッチ１０６の接点ａに接続するように制御する。また、制御部１２５は、スイッチ１２１及びスイッチ１２２を、どちらもそれぞれのスイッチの接点ａに接続するか、どちらもそれぞれのスイッチの接点ｂに接続するかを制御する。
【００３７】
以上に説明したとおり、制御部１２５はセンサ部１３０が出力するセンサ情報をもとに、スイッチ１０５、１０６、１２１、１２２の接続を制御する。この制御を行う理由について図を用いて説明する。
【００３８】
図２は、一般的な折り返し形状を有するダイポールアンテナ１５０の模式図であり、アンテナ素子１５１における電流分布を矢印で示している。
このアンテナ１５０は、折り返し形状を有するアンテナ素子１５１で構成されている。アンテナ素子１５１は給電点１５２に接続されている。アンテナ素子１５１の各部の電流の強さが、図２の矢印の長さで示されている。
【００３９】
アンテナ素子１５１のような折り返し形状を有する場合、折り返し部分１５３の電流が強くなることが知られている。このとき、電流の強い部分、すなわちアンテナ素子１５１の折り返し部分１５３付近に人体の一部（例えば、親指など）が存在した場合、人体の影響により、特に高周波帯域のアンテナ特性が大きく変化することが知られている。一方、電流の弱い部分、すなわちアンテナ素子１５１の給電点１５２付近に人体の一部が存在した場合は、アンテナ特性の変化は大きくはないことが知られている。
【００４０】
以上に説明した人体によるアンテナ特性の変化の特徴を踏まえ、携帯端末装置１００の動作を説明する。
【００４１】
アンテナ素子１０１〜１０４、及びスイッチ１０５，１０６は、スイッチ１０５，１０６の接続が制御部１２５に制御されて２本のアンテナを構成する。
【００４２】
携帯端末装置１００を用いて受信を行う場合、２本のアンテナは、受信信号を送受波する。アンテナで送受波する信号は、ｈｉｇｈｂａｎｄ整合回路１２３或いはｌｏｗｂａｎｄ整合回路１２４によって整合されて高周波回路部１２６にｈｉｇｈｂａｎｄ無線信号及びｌｏｗｂａｎｄ無線信号として出力される。
【００４３】
高周波回路部１２６は、ｈｉｇｈｂａｎｄ無線信号をｈｉｇｈｂａｎｄ変調信号に変換し、ｌｏｗｂａｎｄ無線信号をｌｏｗｂａｎｄ変調信号に変換し、ｈｉｇｈｂａｎｄ変調信号及びｌｏｗｂａｎｄ変調信号を変復調部１２７に出力する。変復調部１２７は、ｈｉｇｈｂａｎｄ変調信号及びｌｏｗｂａｎｄ変調信号に対する復調を行い、ｈｉｇｈｂａｎｄ変調信号及びｌｏｗｂａｎｄ変調信号をそれぞれベースバンド信号に変換する。変復調部１２７は、ベースバンド信号を入出力端子１２８から出力する。
【００４４】
携帯端末装置１００を用いて送信を行う場合、高周波数帯域で送信するベースバンド信号及び低周波数帯域で送信するベースバンド信号が入出力端子１２８から入力される。変復調部１２７は、ベースバンド信号を変調し、ｈｉｇｈｂａｎｄ変調信号及びｌｏｗｂａｎｄ変調信号を生成して高周波回路部１２６に出力する。
【００４５】
高周波回路部１２６は、ｈｉｇｈｂａｎｄ変調信号をｈｉｇｈｂａｎｄ無線信号に変換し、ｌｏｗｂａｎｄ変調信号をｌｏｗｂａｎｄ無線信号に変換する。高周波回路部１２６は、ｈｉｇｈｂａｎｄ無線信号をｈｉｇｈｂａｎｄ整合回路１２３を介してアンテナに与える。又、高周波回路部１２６は、ｌｏｗｂａｎｄ無線信号をｌｏｗｂａｎｄ整合回路１２４を介してアンテナに与える。アンテナは、ｌｏｗｂａｎｄ無線信号及びｈｉｇｈｂａｎｄ無線信号を放射する。
【００４６】
ここで、携帯端末装置１００の使用状態を説明する。
図３（ａ），（ｂ），（ｃ）は、携帯端末装置１００の使用状況を例示した図である。
図３（ａ）は、例えば、使用者が、携帯端末装置１００を右手親指１６０と、図示しない右手の親指を除いた指とで保持しており、アンテナ素子１０３がアンテナ素子１０４よりも上側に位置し、使用者の右手親指１６０がアンテナ素子１０１に接近していると共に、使用者の右手親指１６０の先端が携帯端末装置１００の略中央に位置する状態を示している。アンテナ素子１０１，１０２，１０４を含むアンテナの折り返し部分に相当するスイッチ１０５に対して、右手親指の先端は、アンテナの特性に影響を与えるほどアンテナに近接していない。
【００４７】
センサ部１３０は、位置姿勢センサであるため、携帯端末装置１００の姿勢を検出する。センサ部１３０の検出した姿勢の情報をセンサ情報として制御部１２５に与える。
【００４８】
制御部１２５は、センサ情報に基づいて図３（ａ）中の矢印２０４−ａに示す方向で携帯端末装置１００が使用されていることを想定することができる。つまり、アンテナ素子１０３が上側にあり、アンテナ素子１０４が下側にある状態で、携帯端末装置１００が使用されていることを、想定することができる。
【００４９】
センサ情報が入力された制御部１２５では、スイッチ１０５をスイッチ１０５の接点ａに接続し、スイッチ１０６をスイッチ１０６の接点ｂに接続し、無線通信回路１２０が含むスイッチ１２１をスイッチ１２０の接点ｂに接続し、スイッチ１２２をスイッチ１２２の接点ｂに接続するように、制御信号を各スイッチ１０５，１０６，１２１，１２２に出力する。
【００５０】
以上のスイッチ制御により、アンテナ素子１０４とアンテナ素子１０１とアンテナ素子１０２とスイッチ１０６とスイッチ１０５とからなるアンテナと、アンテナ素子１０３からなるアンテナとが構成される。アンテナ素子１０４とアンテナ素子１０１とアンテナ素子１０２とスイッチ１０６とスイッチ１０５とからなるアンテナは、図２のアンテナ１５０と同様の折り返し形状となり、且つ低い周波数帯の電波に共振するので、ｌｏｗｂａｎｄ無線信号を送受信するのに適したアンテナとなる。そのため、右手親指１６０によるアンテナ特性の変化を小さなものとすることが可能となる。
【００５１】
また、同時に、アンテナ素子１０３からなるアンテナは、高い周波数帯の電波に共振するので、ｈｉｇｈｂａｎｄ無線信号を送受信するのに適したアンテナを構成することができる。このとき、アンテナ素子１０３は右手親指１６０から離れているため、アンテナ特性の変化は起こらない。
【００５２】
携帯端末装置１００の使用中に使用者が携帯端末装置１００を左手に持ち替えると、例えば図３（ｂ）に示すように、使用者は携帯端末装置１００を左手親指１７０と、図示しない左手親指１７０を除いた指とで保持する。この状態では例えばアンテナ素子１０４がアンテナ素子１０３よりも上側に位置し、使用者の左手親指１７０がアンテナ素子１０１に接近していると共に、使用者の左手の親指１７０の先端が携帯端末装置１００の略中央に位置する。そして、アンテナ素子１０４とアンテナ素子１０１とアンテナ素子１０２とスイッチ１０６とスイッチ１０５とからなるアンテナの折り返し部分のスイッチ５に左手親指が接近する。そのため、アンテナ素子１０４とアンテナ素子１０１とアンテナ素子１０２とスイッチ１０６とスイッチ１０５とからなるアンテナの特性が大きく変化することになる。
【００５３】
この状態で携帯端末装置１００が使用されている場合、センサ部１３０は、携帯端末装置１００の姿勢を検出する。センサ部１３０の検出した姿勢の情報をセンサ情報として制御部１２５に与える。
【００５４】
制御部１２５は、センサ情報に基づいて図３（ｂ）中の矢印２０４−ｂに示す方向で携帯端末装置１００が使用されていることを想定することができる。つまり、アンテナ素子１０４が上側にあり、アンテナ素子１０３が下側にある状態で、携帯端末装置１００が使用されていることを、想定することができる。
【００５５】
センサ情報が入力された制御部１２５では、アンテナの特性劣化を解消するために、図３（ｃ）に示すように、スイッチ１０５をスイッチ１０５の接点ｂに接続し、スイッチ１０６をスイッチ１０６の接点ａに接続すると共に、無線通信回路１２０が含むスイッチ１２１をスイッチ１２１の接点ａに接続し、スイッチ１２２をスイッチ１２２の接点ａに接続するように、制御信号を各スイッチ１０５，１０６，１２１，１２２に出力する。
【００５６】
以上のスイッチ制御により、アンテナ素子１０３とアンテナ素子１０１とアンテナ素子１０２とスイッチ１０６とスイッチ１０５とからなるアンテナと、アンテナ素子１０４からなるアンテナとが構成される。アンテナ素子１０３とアンテナ素子１０１とアンテナ素子１０２とスイッチ１０６とスイッチ１０５とからなるアンテナは、アンテナ素子１５０と同様の折り返し形状となり、且つ低い周波数帯の電波に共振するので、ｌｏｗｂａｎｄ無線信号を送受信するのに適したアンテナとなる。そのため、左手親指１７０によるアンテナ特性の変化を小さなものとすることが可能となる。
【００５７】
また、同時に、アンテナ素子１０４からなるアンテナは、高い周波数帯の電波に共振するので、ｈｉｇｈｂａｎｄ無線信号を送受信するのに適したアンテナを構成することができる。このとき、アンテナ素子１０４は左手親指１７０から離れているため、アンテナ特性の変化は起こらない。
【００５８】
なお、ここでは、センサ部１３０は、携帯端末装置１００の姿勢を検出する位置姿勢センサ用いたが、温度センサを携帯端末装置１００の筐体に組み込んでこれを用いてもよいし、あるいは、人体接触センサを筐体に組込んで用いてもよい。温度センサ或いは人体接触センサを用いる場合には、本発明に係る携帯端末装置に対して近接している人体の位置を、より直接的に検出することが可能となる。
【００５９】
また、さらに、無線通信回路１２０はｈｉｇｈｂａｎｄ整合回路１２３及びｌｏｗｂａｎｄ整合回路１２４を備えたが、アンテナ素子１０３のみによって構成されるアンテナ或いはアンテナ素子１０４のみによって構成されるアンテナのインピーダンスと、高周波回路部１２６のインピーダンスとが整合しているときは、ｈｉｇｈｂａｎｄ整合回路１２３を備えなくてもよい。
【００６０】
また、アンテナ素子１０３、アンテナ素子１０１、アンテナ素子１０２、スイッチ１０５及びスイッチ１０６によって構成されるアンテナ或いはアンテナ素子１０４、アンテナ素子１０１、アンテナ素子１０２、スイッチ１０６及びスイッチ１０５によって構成されるアンテナのインピーダンスと、高周波回路部１２６のインピーダンスとが整合しているときは、ｌｏｗｂａｎｄ整合回路１２４を備えなくてもよい。
【００６１】
以上のように、本実施形態の携帯端末装置１００によれば、当該携帯端末装置１００を保持する人体の影響を抑制し、且つ、複数のアンテナ素子１０１から１０４を備えて複数の周波数帯の電波を利用して通信を行うことを、装置の製造コストの大きな上昇、および、大型化を回避して実現できる。
【００６２】
［第２の実施形態］
図４は、本発明の第２の実施形態に係る携帯端末装置２００の構成を示すブロック図であり、図１中の要素と共通する要素には、共通の符合が付されている。る。
【００６３】
この携帯端末装置２００は、第１の実施形態の携帯端末装置１００と同様のアンテナ素子１０１〜１０４及びスイッチ１０５，１０６と、携帯端末装置１００とは異なる無線通信回路２２０とを備えている。この携帯端末装置２００は、携帯端末装置１００で備えていたセンサ部１３０は備えていない。
【００６４】
無線通信回路２２０は、第１の実施形態の無線通信回路１２０と同様のスイッチ１２１と、スイッチ１２２と、ｈｉｇｈｂａｎｄ整合回路１２３と、ｌｏｗｂａｎｄ整合回路１２４と、高周波回路部１２６と、入出力端子１２８とを備え、無線通信回路１２０とは異なる変復調部２２１及び制御部２２２を備えている。
即ち、無線通信回路２２０は、無線通信回路１２０の変復調部１２７を変復調部２２１に置換し、制御部１２５を制御部２２２に置換したものである。無線通信回路部２２０の他の部分は、無線通信回路１２０と同様の構成である。
【００６５】
変復調部２２１は、高周波回路部１２６と入出力端子１２８と制御部２２２とに接続されている。変復調部２２１は、高周波回路部１２６から与えられるｈｉｇｈｂａｎｄ変調信号をｈｉｇｈｂａｎｄベースバンド信号に復調し、ｌｏｗｂａｎｄ変調信号をｌｏｗｂａｎｄベースバンド信号に復調し、入出力端子１２８から出力する。
【００６６】
また、変復調部２２１は、高い周波数帯で送信するためのｈｉｇｈｂａｎｄベースバンド信号を入出力端子１２８から入力し、ｈｉｇｈｂａｎｄ変調信号に変換して高周波回路部１２６に出力し、低い周波数帯で送信するためのｌｏｗｂａｎｄベースバンド信号を入出力端子１２８から入力し、ｌｏｗｂａｎｄ変調信号に変換して高周波回路部１２６に出力する。
【００６７】
さらに、変復調部２２１は、高周波回路部１２６から与えられるｈｉｇｈｂａｎｄ変調信号を復調したｈｉｇｈｂａｎｄベースバンド信号の信号品質であるＢＥＲ（Ｂｉｔ  Ｅｒｒｏｒ  Ｒａｔｅ）を測定し、また、高周波回路部１２６から入力されるｌｏｗｂａｎｄ変調信号を復調したｌｏｗｂａｎｄベースバンド信号の信号品質であるＢＥＲを測定し、これら測定した２のＢＥＲの両方あるいはどちらか一方を表現する品質信号を制御部２２２へ出力する。
【００６８】
制御部２２２は、変復調部２２１から品質信号を入力し、品質信号に基づいて、スイッチ１０５、スイッチ１０６、スイッチ１２１及びスイッチ１２２に制御信号を出力し、各スイッチ１０５、スイッチ１０６、スイッチ１２１及びスイッチ１２２の接続する接点を制御する。
即ち、制御部２２２は、品質信号に基づいて、スイッチ１０５をスイッチ１０５の接点ｂに接続し、スイッチ１０６をスイッチ１０６の接点ａに接続し、スイッチ１２１，１２２を各スイッチ１２１，１２２の接点ａに接続するか、又は、スイッチ１０５をスイッチ１０５の接点ａに接続し、スイッチ１０６をスイッチ１０６の接点ｂに接続し、スイッチ１２１，１２２を各スイッチ１２１，１２２の接点ｂに接続する。
【００６９】
ここで、制御部２２２は、スイッチ１０５をスイッチ１０５の接点ｂに接続し、スイッチ１０６をスイッチ１０６の接点ａに接続し、スイッチ１２１，１２２を各スイッチ１２１，１２２の接点ａに接続したときに変復調部２２１から与えられる品質信号と、スイッチ１０５をスイッチ１０５の接点ａに接続し、スイッチ１０６をスイッチ１０６の接点ｂに接続し、スイッチ１２１，１２２を各スイッチ１２１，１２２の接点ｂに接続したときに変復調部２２１からの与えられる品質信号とを比較し、品質信号が良好な値を示すように、スイッチ１０５、１０６、１２１、１２２の接続を制御するための制御信号を出力する。
【００７０】
尚、変復調部２２１は、ｈｉｇｈｂａｎｄベースバンド信号又はｌｏｗｂａｎｄベースバンド信号或いはその両方の品質であるＢＥＲを測定するが、ＢＥＲでは無くてもよい。ＰＥＲ（Ｐａｃｋｅｔ Ｅｒｒｏｒ Ｒａｔｅ）、あるいはＢＬＥＲ（Ｂｌｏｃｋ Ｅｒｒｏｒ Ｒａｔｅ）、あるいは通信速度を表現するスループット、を測定または算出して、制御部２２２に与える品質信号に表現させてもよい。
【００７１】
本実施形態の携帯端末装置２００は、ｈｉｇｈｂａｎｄ変調信号を復調したｈｉｇｈｂａｎｄベースバンド信号或いはｌｏｗｂａｎｄ変調信号を復調したｌｏｗｂａｎｄベースバンド信号或いはその両方のＢＥＲを表現する品質信号により、スイッチ１０５、１０６、１２１、１２２を制御するため、第１の実施形態の携帯端末装置１００と同様に、携帯端末装置２００を保持する人体の影響を抑制し、且つ、複数のアンテナ素子１０１から１０４を備えて複数の周波数帯の電波を利用して通信を行うことを、装置の製造コストの大きな上昇、および、大型化を回避して実現できる。
【００７２】
［第３の実施形態］
図５は、本発明の第３の実施形態に係る携帯端末装置３００を示す構成図であり、図１中の要素と共通する要素には、共通の符合が付されている。。
【００７３】
この携帯端末装置３００は、第１の実施形態の携帯端末装置１００と同様のアンテナ素子１０１〜１０４及びスイッチ１０５，１０６と、携帯端末装置１００とは異なる無線通信回路３２０とを備えている。この携帯端末装置３００は、携帯端末装置１００で備えていたセンサ部１３０は備えていない。
【００７４】
無線通信回路３２０は、第１の実施形態の無線通信回路１２０と同様のでスイッチ１２１と、スイッチ１２２と、ｈｉｇｈｂａｎｄ整合回路１２３と、ｌｏｗｂａｎｄ整合回路１２４と、変復調回路１２７と、入出力端子１２８とを備え、無線通信回路１２０とは異なる高周波回路部３２１及び制御部３２２を備えている。
【００７５】
即ち、無線通信回路３２０は第１の実施形態の無線通信回路１２０中の高周波回路部１２６を高周波回路部３２１に置換し、無線通信回路１２０中の制御部１２５を制御部３２２に置換したものであり、他の構成は無線通信回路１２０と同様になっている。
【００７６】
高周波回路部３２１は、ｈｉｇｈｂａｎｄ整合回路１２３に入出力されるｈｉｇｈｂａｎｄ無線信号と変復調部１２７に入出力されるｈｉｇｈｂａｎｄ変調信号とを相互変換する。また、高周波回路部３２１は、ｌｏｗｂａｎｄ整合回路１２４に入出力されるｌｏｗｂａｎｄ無線信号と変復調部１２７に入出力されるｌｏｗｂａｎｄ変調信号とを相互変換する。
【００７７】
更に、高周波回路部３２１は、ｈｉｇｈｂａｎｄ整合回路１２３から入力されたｈｉｇｈｂａｎｄ無線信号が変換されたｈｉｇｈｂａｎｄ変調信号の電力レベルと、ｌｏｗｂａｎｄ整合回路１２４から入力されるｌｏｗｂａｎｄ無線信号が変換されたｌｏｗｂａｎｄ変調信号の電力レベルとを測定する図示しないレベル検出回路を有する。高周波回路部１２６は、レベル検出回路を用いて、ｈｉｇｈｂａｎｄ変調信号又はｌｏｗｂａｎｄ変調信号或いはその両方を表現する品質信号を生成して制御部３２２に出力する。
【００７８】
尚、品質信号は、ｈｉｇｈｂａｎｄ変調信号又はｌｏｗｂａｎｄ変調信号或いは両方の電力を表現するものでなくてもよい。例えば、ｈｉｇｈｂａｎｄ変調信号又はｌｏｗｂａｎｄ変調信号或いはその両方のＲＳＳＩ（Ｒｅｃｅｉｖｅｄ Ｓｉｇｎａｌ Ｓｔｒｅｎｇｔｈ Ｉｎｄｉｃａｔｏｒ；受信信号強度表示）値を算出し、ＲＳＳＩ値を前記品質信号に表現させてもよい。
【００７９】
制御部３２２は、高周波回路部３２１から品質信号を入力し、品質信号に基づいて、スイッチ１０５、スイッチ１０６、スイッチ１２１及びスイッチ１２２に制御信号を出力し、各スイッチ１０５、スイッチ１０６、スイッチ１２１及びスイッチ１２２の接続する接点を制御する。
【００８０】
即ち、制御部３２２は、品質信号に基づいて、スイッチ１０５をスイッチ１０５の接点ｂに接続し、スイッチ１０６をスイッチ１０６の接点ａに接続し、スイッチ１２１，１２２を各スイッチ１２１，１２２の接点ａに接続する。又は、制御部３２２は、品質信号に基づいて、スイッチ１０５をスイッチ１０５の接点ａに接続し、スイッチ１０６をスイッチ１０６の接点ｂに接続し、スイッチ１２１，１２２を各スイッチ１２１，１２２の接点ｂに接続する。
【００８１】
ここで、制御部３２２は、スイッチ１０５をスイッチ１０５の接点ｂに接続し、スイッチ１０６をスイッチ１０６の接点ａに接続し、スイッチ１２１，１２２を各スイッチ１２１，１２２の接点ａに接続したときに高周波回路部３２１から与えられる品質信号と、スイッチ１０５をスイッチ１０５の接点ａに接続し、スイッチ１０６をスイッチ１０６の接点ｂに接続し、スイッチ１２１，１２２を各スイッチ１２１，１２２の接点ｂに接続したときに高周波回路部３２１からの与えられる品質信号と、を比較する。そして、品質信号の比較結果に基づいて、制御部３２２は品質信号が良好な値を示すように、スイッチ１０５、１０６、１２１、１２２を制御するための制御信号を出力する。
【００８２】
本実施形態の携帯端末装置３００は、ｈｉｇｈｂａｎｄ変調信号又はｌｏｗｂａｎｄ変調信号或いはその両方の電力を表す品質信号により、スイッチ１０５、１０６、１２１、１２２を制御するため、第１の実施形態の携帯端末装置１００と同様に、携帯端末装置３００を保持する人体の影響を抑制し、且つ、複数のアンテナ素子１０１から１０４を備えて複数の周波数帯の電波を利用して通信を行うことを、装置の製造コストの大きな上昇、および、大型化を回避して実現できる。
【００８３】
尚、本願発明は、上記実施形態に関わらず種々の変形が可能である。その変形例としては、例えば次のようなものが考えられる。
【００８４】
上記第１〜３の実施形態で説明した携帯端末装置１００，２００，３００は、２つの周波数帯域の電波を利用して通信を行う構成となっているが、アンテナ素子１０１〜１０４の数を増加させ、例えば３つ以上の周波数帯域の電波を利用して通信を行ってもよい。
【００８５】
また、各携帯端末装置１００，２００，３００において、スイッチ１０５，１０６１２１，１２２は４つであったが、本発明はこれに限らず、３つ以下であってもよいし、５つ以上であっても良い。
【００８６】
また、各携帯端末装置１００，２００，３００において、アンテナ素子１０１〜１０４が構成するアンテナの形状は、折り返し形状のダイポールアンテナであったが、折り返し形状のダイポールアンテナでなくてもよい。
【００８７】
尚、本発明は上記した装置の機能をコンピューターに実現させるためのプログラムを含むものである。これらのプログラムは、記録媒体から読み取られてコンピュータに取り込まれてもよいし、通信ネットワークを介して伝送されてコンピュータに取り込まれてもよい。
【００８８】
上記の実施形態の一部又は全部は、以下の付記のようにも記載されうるが、以下には限られない。
【００８９】
（付記１）
少なくとも二つの周波数帯域の無線信号を送受信することにより通信を行う携帯端末装置であって、
一つの給電点をそれぞれに備えた少なくとも二つの第１のアンテナ素子と、
第２のアンテナ素子と、
前記第２のアンテナ素子の接続先を、前記少なくとも二つの第１のアンテナ素子の中から一つだけ選択して接続する少なくとも一つの素子スイッチと、
少なくとも二つの周波数帯域の無線信号を、入力或いは出力する高周波回路部と、
前記高周波回路部中の前記少なくとも二つの周波数帯域の無線信号をそれぞれ処理する少なくとも二つの回路と前記少なくとも二つの第１のアンテナ素子がそれぞれに備えている一つの給電点の中のいずれか一つと、を一対一に接続するための少なくとも二つの給電点スイッチと、
全ての前記少なくとも１つの素子スイッチ及び前記少なくとも二つの給電点スイッチの接続を制御することが可能な制御信号を出力する制御部と、
を備え、
前記制御部は、当該携帯端末装置の状態を示す情報信号に基づいて全ての前記少なくとも１つの素子スイッチ及び前記少なくとも二つの給電点スイッチの接続を制御することを特徴とする携帯端末装置。
【００９０】
（付記２）
当該携帯端末装置の傾きを検出し、該検出結果を前記情報信号として前記制御部に与えるセンサを備えることを特徴とする付記１に記載の携帯端末装置。
【００９１】
（付記３）
当該携帯端末装置の温度を検出し、該検出結果を前記情報信号として前記制御部に与えるセンサを備えることを特徴とする付記１に記載の携帯端末装置。
【００９２】
（付記４）
当該携帯端末装置への人の接触状態を検出し、該検出結果を前記情報信号として前記制御部に与えるセンサを備えることを特徴とする付記１に記載の携帯端末装置。
【００９３】
（付記５）
前記高周波回路部に入力された前記少なくとも二つの周波数帯域の無線信号の全て又は１部の復調信号の信号品質を検知する第１の検知手段を備え、
前記第１の検知手段は、検知した前記無線信号の全て又は１部の復調信号の信号品質を前記情報信号として前記制御部に出力することを特徴とする付記１に記載の携帯端末装置。
【００９４】
（付記６）
前記高周波回路部に入力された前記少なくとも二つの周波数帯域の無線信号の全て又は一部の信号レベルを検知する第２の検知手段を備え、
前記第２の検知手段は、検知した前記無線信号の全て又は一部の信号レベルをを前記情報信号として前記制御部に出力することを特徴とする付記１に記載の携帯端末装置。
【００９５】
（付記７）
一つの給電点をそれぞれに備えた少なくとも二つの第１のアンテナ素子と、
第２のアンテナ素子と、
前記第２のアンテナ素子の接続先を、前記少なくとも二つの第１のアンテナ素子の中から一つだけ選択して接続する少なくとも一つの素子スイッチと、
少なくとも二つの周波数帯域の無線信号を、入力或いは出力する高周波回路部と、
前記高周波回路部中の前記少なくとも二つの周波数帯域の無線信号をそれぞれ処理する少なくとも二つの回路と前記少なくとも二つの第１のアンテナ素子がそれぞれに備えている一つの給電点の中のいずれか一つと、を一対一に接続するための少なくとも二つの給電点スイッチと、
を備え、少なくとも二つの周波数帯域の無線信号を送受信することにより通信を行う携帯端末装置の制御方法であって、
当該携帯端末装置の状態を示す情報信号を入力する情報信号入力処理と、
前記情報信号に基づいて全ての前記少なくとも一つの素子スイッチ及び前記少なくとも二つの給電点スイッチの接続を制御するスイッチ制御処理と、
を行うことを特徴とする携帯端末装置の制御方法。
【００９６】
（付記８）
少なくとも二つの周波数帯域の無線信号を送受信することにより通信を行う携帯端末装置を制御するコンピュータに、
前記携帯端末装置の状態を示す情報信号を受信する受信処理と、
前記情報信号に基づいて、第２のアンテナ素子を、少なくとも二つの第１のアンテナ素子の中から一つだけ選択して接続する素子スイッチ接続処理と、
前記情報信号に基づいて、少なくとも二つの周波数帯域の無線信号を入力或いは出力する高周波回路部中の前記少なくとも二つの周波数帯域の無線信号をそれぞれ処理する少なくとも二つの回路と前記少なくとも二つの第１のアンテナ素子がそれぞれに備えている一つの給電点の中のいずれか一つと、を一対一に接続する給電点スイッチ接続処理と、
を実行させることを特徴とするプログラム。
【符号の説明】
【００９７】
１００，２００，３００              携帯端末装置
１０１〜１０４                      アンテナ素子
１０５，１０６，１２１，１２２      スイッチ
１２０，２２０，３２０              無線通信回路
１２５，２２２，３２２              制御部
１２６，３２１                      高周波回路部
１２７，２２１                      変復調部
１２８                              入出力端子
１３０                              センサ部
Ｑ−１，Ｑ−２                      給電点
【図１】
2013055624.tif 000003
【図２】
2013055624.tif 000004
【図３】
2013055624.tif 000005
【図４】
2013055624.tif 000006
【図５】
2013055624.tif 000007